(57)【特許請求の範囲】
【請求項１】
フィラーネックに対してフィラーキャップ本体を着脱させるよう構成したフィラーキャップ構造において、
フィラーキャップ本体に、締切前はフィラーネックに接触されない退避状態となり、締切時にフィラーネックへ近接して接触状態となるようフィラーキャップ本体に対して可動する可動爪部を設け、
前記フィラーキャップ本体が、フィラーネックに螺着されるハンドル内周部と、該ハンドル内周部に外嵌され、ハンドル内周部に対して周方向に相対回転可能なハンドル外周部とを備えると共に、
締切時に前記ハンドル内周部を回転が制止されるまでフィラーネックに螺着した時に、ハンドル内周部に対してハンドル外周部を締込方向へ更に相対回転させることによって、前記可動爪部を可動させる機構を備えたことを特徴とするフィラーキャップ構造。
【請求項２】
前記可動爪部が、ハンドル外周部に設けられると共にフィラーネックに対して半径方向へ近接離反動自在に設けられ、
可動爪部を可動させる機構が、一端をハンドル内周部に接続され、他端をハンドル外周部に接続され、中間部を可動爪部に係止されて、ハンドル内周部に掛け回された索状部材であることを特徴とする請求項１記載のフィラーキャップ構造。
【請求項３】
前記索状部材は、フィラーキャップ本体の締込方向を基準として、上流側の端部をハンドル内周部に接続し、下流側の端部をハンドル外周部に接続したことを特徴とする請求項２記載のフィラーキャップ構造。
【請求項４】
可動爪部を可動させる機構は、可動爪部が退避状態となる位置と、可動爪部が接触状態となる位置との何れかに、ハンドル内周部とハンドル外周部との周方向の相対位置を保持するロック機構を備えたことを特徴とする請求項２または請求項３記載のフィラーキャップ構造。
【請求項５】
前記可動爪部が、ハンドル外周部に設けられると共にフィラーネックに対して半径方向へ近接離反動自在に設けられ、
可動爪部を可動させる機構が、ハンドル外周部とハンドル内周部との間に形成されたカム機構であることを特徴とする請求項１記載のフィラーキャップ構造。
【請求項６】
前記カム機構は、可動爪部の内面上部に設けたカムフォロワと、ハンドル内周部の外側面に設けた、前記カムフォロワをガイドするカム面とを備え、
該カム面が、フィラーキャップ本体の締込方向を基準として、上流側に可動爪部を退避状態にするための退避部を備えると共に、下流側に可動爪部を接触状態にするための接触部を備えたことを特徴とする請求項５記載のフィラーキャップ構造。
【請求項７】
前記カム面が、退避部と接触部との外側部分にカムフォロワの移動領域を規制する一対のストッパ部を備えたことを特徴とする請求項５または請求項６記載のフィラーキャップ構造。
【発明の詳細な説明】
【０００１】
【発明の属する技術分野】
この発明は、フィラーキャップ構造に関するものである。
【０００２】
【従来の技術】
一般に、自動車などの車両には、車体に給油口が設けられ、この給油口には、フィラーリッドが開閉可能に取付けられている。この給油口の内部には燃料タンクから延びるフィラーネックが収容され、このフィラーネックにはフィラーキャップが取付けられている。
【０００３】
このような構成によれば、フィラーリッドを開くことによって給油口を外部に露出させ、次いで、給油口内部のフィラーキャップを外してフィラーネックを開口させることにより、フィラーネックを介して給油を行うことができる。そして、給油終了後は、フィラーネックにフィラーキャップを取付け、フィラーリッドを閉じて給油口を覆い隠すようにする。
【０００４】
このようなフィラーリッド部構造では、人体に帯電した静電気を除電する必要があり、そのために、従来、特開１１−３０１２９０号公報のように、フィラーキャップに対して締切時にフィラーネックへ接して放電を行わせる突出部を設けたものなどが知られている。
【０００５】
【発明が解決しようとする課題】
しかしながら、特開１１−３０１２９０号公報のフィラーキャップでは、突出部が単にフィラーキャップに固定されているだけの構造であるため、フィラーキャップが確実に締まる前に突出部がフィラーネックに接してしまうと、フィラーキャップにシール不良が発生するおそれがあった。
【０００６】
そこで、本発明の目的は、上記の問題点を解消し、フィラーキャップのシール不良を防止して放電を行わせることのできるフィラーキャップ構造を提供することにある。
【０００７】
【課題を解決するための手段】
上記課題を解決するために、請求項１に記載された発明では、フィラーネックに対してフィラーキャップ本体を着脱させるよう構成したフィラーキャップ構造において、フィラーキャップ本体に、締切前はフィラーネックに接触されない退避状態となり、締切時にフィラーネックへ近接して接触状態となるようフィラーキャップ本体に対して可動する可動爪部を設け、前記フィラーキャップ本体が、フィラーネックに螺着されるハンドル内周部と、該ハンドル内周部に外嵌され、ハンドル内周部に対して周方向に相対回転可能なハンドル外周部とを備えると共に、締切時に前記ハンドル内周部を回転が制止されるまでフィラーネックに螺着した時に、ハンドル内周部に対してハンドル外周部を締込方向へ更に相対回転させることによって、前記可動爪部を可動させる機構を備えたフィラーキャップ構造を特徴としている。
【０００８】
このように構成された請求項１にかかる発明によれば、締切時にハンドル内周部を回転が制止されるまでフィラーネックに螺着した時に、ハンドル内周部に対してハンドル外周部を締込方向へ更に相対回転させることによって、可動爪部が、可動させる機構によりフィラーキャップ本体に対し可動して、締切前のフィラーネックに接触されない退避状態から、締切時にフィラーネックへ近接して接触状態となることにより、確実に放電を行わせると共に、確実にフィラーキャップ本体によるフィラーネックのシールを行わせることができる。
【０００９】
請求項２に記載された発明では、前記可動爪部が、ハンドル外周部に設けられると共にフィラーネックに対して半径方向へ近接離反動自在に設けられ、可動爪部を可動させる機構が、一端をハンドル内周部に接続され、他端をハンドル外周部に接続され、中間部を可動爪部に係止されて、ハンドル内周部に掛け回された索状部材である請求項１記載のフィラーキャップ構造を特徴としている。
【００１０】
このように構成された請求項２にかかる発明によれば、ハンドル内周部とハンドル外周部とを周方向に相対変位させて、索状部材を引張らせることにより、索状部材の中間部に係止された可動爪部をフィラーネックへ近接させるようにすることができる。
【００１１】
請求項３に記載された発明では、前記索状部材は、フィラーキャップ本体の締込方向を基準として、上流側の端部をハンドル内周部に接続し、下流側の端部をハンドル外周部に接続した請求項２記載のフィラーキャップ構造を特徴としている。
【００１２】
このように構成された請求項３にかかる発明によれば、フィラーキャップ本体の締込方向を基準として、索状部材の上流側の端部をハンドル内周部に接続すると共に、索状部材の下流側の端部をハンドル外周部に接続することにより、締切前はフィラーネックに接触されない退避状態となり、締切時にフィラーネックへ近接して接触状態となるようにすることができる。
【００１３】
請求項４に記載された発明では、可動爪部を可動させる機構は、可動爪部が退避状態となる位置と、可動爪部が接触状態となる位置との何れかに、ハンドル内周部とハンドル外周部との周方向の相対位置を保持するロック機構を備えた請求項２または請求項３記載のフィラーキャップ構造を特徴としている。
【００１４】
このように構成された請求項４にかかる発明によれば、ロック機構が、ハンドル内周部とハンドル外周部との周方向の相対位置を、可動爪部が退避状態となる位置と、可動爪部が接触状態となる位置との何れかに保持させることにより、不用意にハンドル内周部とハンドル外周部との周方向の相対位置がずれることを防止することができる。
【００１５】
請求項５に記載された発明では、前記可動爪部が、ハンドル外周部に設けられると共にフィラーネックに対して半径方向へ近接離反動自在に設けられ、可動爪部を可動させる機構が、ハンドル外周部とハンドル内周部との間に形成されたカム機構である請求項１記載のフィラーキャップ構造を特徴としている。
【００１６】
このように構成された請求項５にかかる発明によれば、ハンドル内周部とハンドル外周部とを周方向に相対変位させて、可動爪部をカム機構に倣わせることにより、可動爪部をフィラーネックへ近接させるようにすることができる。
【００１７】
請求項６に記載された発明では、前記カム機構は、可動爪部の内面上部に設けたカムフォロワと、ハンドル内周部の外側面に設けた、前記カムフォロワをガイドするカム面とを備え、該カム面が、フィラーキャップ本体の締込方向を基準として、上流側に可動爪部を退避状態にするための退避部を備えると共に、下流側に可動爪部を接触状態にするための接触部を備えた請求項５記載のフィラーキャップ構造を特徴としている。
【００１８】
このように構成された請求項６にかかる発明によれば、フィラーキャップ本体の締込方向を基準として、カム面の上流側に可動爪部を退避状態にするための退避部を備えると共に、カム面の下流側に可動爪部を接触状態にするための接触部を備えることにより、締切前はフィラーネックに接触されない退避状態となり、締切時にフィラーネックへ近接して接触状態となるようにすることができる。
【００１９】
請求項７に記載された発明では、前記カム面が、退避部と接触部との外側部分にカムフォロワの移動領域を規制する一対のストッパ部を備えた請求項５または請求項６記載のフィラーキャップ構造を特徴としている。
【００２０】
このように構成された請求項７にかかる発明によれば、カム面の退避部と接触部との外側部分に設けた一対のストッパ部により、カムフォロワの移動領域を有効に規制することができる。
【００２１】
【発明の実施の形態１】
以下、本発明の具体的な実施の形態１について、図示例と共に説明する。
【００２２】
図１〜図４は、この発明の実施の形態１を示すものである。
【００２３】
まず、構成を説明すると、自動車などの車両では、車体に給油口部が設けられており、この給油口部の内部には燃料タンクから延びるフィラーネック１が収容され、このフィラーネック１にはフィラーキャップ本体２が取付けられている。
【００２４】
このフィラーキャップ本体２は、フィラーネック１のネジ部分に螺着されるキャップ部３と、このキャップ部３の背面側に図示しないラチェット機構を介して取付けられたハンドル部４とを備えている。このラチェット機構は、通常はキャップ部３とハンドル部４とを共廻りさせると共に、一定以上の力が作用した時にキャップ部３とハンドル部４とを空廻りさせるようにするものである。また、キャップ部３の外周には、シール溝５が形成され、このシール溝５にはフィラーネック１上部との間でシールを行わせるシールリング６が外嵌されている。
【００２５】
上記ハンドル部４は、キャップ部３の背面側に上記ラチェット機構を介して連結されるハンドル内周部７と、このハンドル内周部７に外嵌されるほぼキャップ状のハンドル外周部８とを備えている。このハンドル外周部８は、導電性樹脂によって構成されており、その背面には直径方向へ延びるハンドル９が突出形成されている。なお、ハンドル内周部７とハンドル外周部８とは、軸線方向に対しては一体化されると共に、軸線方向を中心として周方向へ相対的に回転可能とされている。
【００２６】
この実施の形態１のものでは、フィラーキャップ本体２に対し、締切前はフィラーネックに接触されない退避状態となり、締切時にフィラーネック１へ近接して接触状態となるようフィラーキャップ本体２に対して可動する可動爪部１０を設けている。
【００２７】
この可動爪部１０は、ハンドル外周部８の側面に一対の切込１１を入れることによって形成されている。この可動爪部１０は、フィラーネック１に対してほぼ半径方向へ近接離反動自在に弾性変形されるようになっている。図２では、可動爪部１０は、ハンドル外周部８の側面の周方向１箇所にのみ設けられている。可動爪部１０の内面側下部には、フィラーネック１に対する接点部１２が突設されている。この接点部１２は、通常は、フィラーネック１に接触されないように退避状態に設定されている。
【００２８】
そして、更に、可動爪部１０を可動させる機構（可動機構）１３を設ける。この可動機構１３は、一端をハンドル内周部７の外側面から突設された係止用凸部１４に接続され、他端をハンドル外周部８の内側面から突設された係止用凸部１５に接続され、中間部を可動爪部１０の内面に設けられたフック部１６に係止されて、ハンドル内周部７に掛け回されたワイヤなどの索状部材１７を備えている。この索状部材１７は、フィラーキャップ本体２の締込方向１８を基準として、上流側の端部をハンドル内周部７の係止用凸部１４に接続し、下流側の端部をハンドル外周部８の係止用凸部１５に接続するようにしている。
【００２９】
更に、上記可動機構１３は、可動爪部１０が退避状態となる位置と、可動爪部１０が接触状態となる位置との何れかに、ハンドル内周部７とハンドル外周部８との周方向の相対位置を保持するロック機構１９を備えている。
【００３０】
このロック機構１９は、ハンドル外周部８の内側面から突設された１本のロック用凸部２０と、ハンドル内周部７の外側面に形成された、ロック用凸部２０を収容する一対のロック用凹部２１，２２と、ロック用凹部２１，２２間の領域の外側部分に形成された、ロック用凸部２０の移動領域を規制する一対のストッパ２３，２４とを備えている。
【００３１】
ここで、フィラーキャップ本体２の締込方向１８を基準として、上流側のものが可動爪部１０を退避状態に保持するためのロック用凹部２１となっており、下流側のものが可動爪部１０を接触状態に保持するためのロック用凹部２２となっている。また、ロック用凸部２０は、上記ラチェット機構が空廻りされる直前に、ロック用凹部２１，２２から外れるように設定されている。
【００３２】
なお、ロック機構１９のロック用凸部２０、ロック用凹部２１，２２、ストッパ２３，２４は、係止用凸部１４，１５間の索状部材１７が配設されていない部分を利用して形成されている。また、係止用凸部１４，１５およびストッパ２３，２４は、相互に干渉しない程度の突出量に設定されている。
【００３３】
次に、この実施の形態１の作用について説明する。
【００３４】
フィラーキャップ本体２がフィラーネック１に対して締まっていない状態では、図１、図２に示すように、可動爪部１０は退避状態となっており、フィラーネック１とは接していない。
【００３５】
この状態で、ハンドル９を摘んでフィラーキャップ本体２をフィラーネック１に対し締込方向１８へ廻して行き、フィラーキャップ本体２が完全に締切られると、フィラーキャップ本体２の回転が制止される。更に、フィラーキャップ本体２をフィラーネック１に対して締込方向１８へ廻すと、ロック機構１９のロック用凸部２０がロック用凹部２１から外れ、ハンドル外周部８がハンドル内周部７に対して締込方向１８へ相対回転してロック用凸部２０がロック用凹部２２へ入り、図３、図４に示す状態となる。これにより、可動機構１３を構成するワイヤなどの索状部材１７が引張られて、内周側へ締まるので、フック部１６を介して可動爪部１０がフィラーネック１に近接して接触状態となる。なお、ロック用凸部２０がロック用凹部２２へ入って以後は、ストッパ２４によって、ハンドル外周部８とハンドル内周部７とは一体に締込方向１８へ回転されることとなる。
【００３６】
反対に、フィラーキャップ本体２を外す場合には、ハンドル９を摘んでフィラーキャップ本体２をフィラーネック１に対し締込方向１８とは反対方向（緩め方向１８’）へ廻す。すると、ロック機構１９のロック用凸部２０がロック用凹部２２から外れ、ハンドル外周部８がハンドル内周部７に対して緩め方向１８’へ相対回転してロック用凸部２０がロック用凹部２１へ入り、図１、図２に示す状態となる。これにより、可動機構１３を構成するワイヤなどの索状部材１７が緩められて、外周側へ拡がるので、可動爪部１０が解放されフィラーネック１から離反して退避状態となる。なお、ロック用凸部２０がロック用凹部２１へ入って以後は、ストッパ２３によって、ハンドル外周部８とハンドル内周部７とは一体に緩め方向１８’へ回転されることとなる。
【００３７】
このように、フィラーキャップ本体２に対して可動できるよう設けた可動爪部１０が、締切前のフィラーネック１に接触されない退避状態から、締切時にフィラーネック１へ近接して接触状態となることにより、確実に放電を行わせると共に、確実にフィラーキャップ本体２によるフィラーネック１のシールを行わせることができる。
【００３８】
また、ハンドル内周部７とハンドル外周部８とを周方向に相対変位させて、索状部材１７を引張らせることにより、索状部材１７の中間部に係止された可動爪部１０をフィラーネック１へ近接させるようにすることができる。
【００３９】
そして、フィラーキャップ本体２の締込方向１８を基準として、索状部材１７の上流側の端部をハンドル内周部７に接続すると共に、索状部材１７の下流側の端部をハンドル外周部８に接続することにより、締切前はフィラーネック１に接触されない退避状態となり、締切時にフィラーネック１へ近接して接触状態となるようにすることができる。
【００４０】
更に、ロック機構１９が、ハンドル内周部７とハンドル外周部８との周方向の相対位置を、可動爪部１０が退避状態となる位置と、可動爪部１０が接触状態となる位置との何れかに保持させることにより、不用意にハンドル内周部７とハンドル外周部８との周方向の相対位置がずれることを防止することができる。
【００４１】
【発明の実施の形態２】
図５〜図８は、この発明の実施の形態２を示すものである。なお、実施の形態１と同一ないし均等な部分については、同一の符号を付して説明する。
【００４２】
この実施の形態２のものでは、可動爪部１０の可動機構１３として、ハンドル外周部８とハンドル内周部７との間にカム機構２５を設ける。このカム機構２５は、可動爪部１０の内面上部に設けたカムフォロワ２６と、ハンドル内周部７の外側面に設けた、カムフォロワ２６をガイドするカム面２７とを備えている。
【００４３】
このカム面２７は、フィラーキャップ本体２の締込方向１８を基準として、上流側に可動爪部１０を退避状態にするための退避部２８を備え、下流側に可動爪部１０を接触状態にするための接触部２９を備え、退避部２８と接触部２９との間に両者を繋ぐ移行部３０を備えている。更に、カム面２７は、退避部２８と接触部２９との外側部分にカムフォロワ２６の移動領域を規制する一対のストッパ部３１，３２を備えている。ここで、接触部２９は退避部２８よりもフィラーキャップ本体２の中心に近接した位置に形成されている。また、移行部３０は退避部２８と接触部２９との間を滑らかに接続するための傾斜面となっている。一方、可動爪部１０の接点部１２は、カムフォロワ２６が退避部２８の位置にある時にフィラーネック１から退避され、カムフォロワ２６が接触部２９の位置にある時にフィラーネック１に接触されるように設定されている。
【００４４】
なお、図１、図２では、可動爪部１０は、フィラーキャップ本体２に対し、１８０度離れた位置に２箇所形成されている。これに対応して、カム面２７も２箇所形成されている。
【００４５】
次に、この実施の形態２の作用について説明する。
【００４６】
フィラーキャップ本体２がフィラーネック１に対して締まっていない状態では、図５、図６に示すように、可動爪部１０は退避状態となっており、フィラーネック１とは接していない。
【００４７】
この状態で、ハンドル９を摘んでフィラーキャップ本体２をフィラーネック１に対し締込方向１８へ廻して行き、フィラーキャップ本体２が完全に締切られると、フィラーキャップ本体２の回転が制止される。更に、フィラーキャップ本体２をフィラーネック１に対し締込方向１８へ廻すと、ハンドル外周部８がハンドル内周部７に対して締込方向１８へ相対回転して、カムフォロワ２６が退避部２８から接触部２９へと移動し、図７、図８に示す状態となる。これにより、可動爪部１０が弾性力で内周側へ復帰しようとするので、可動爪部１０がフィラーネック１に近接して接触状態となる。なお、カムフォロワ２６が接触部２９へ移動した以後は、ストッパ３２によって、ハンドル外周部８とハンドル内周部７とは一体に締込方向１８へ回転されることとなる。
【００４８】
反対に、フィラーキャップ本体２を外す場合には、ハンドル９を摘んでフィラーキャップ本体２をフィラーネック１に対し締込方向１８とは反対方向（緩め方向１８’）へ廻す。すると、ハンドル外周部８がハンドル内周部７に対して緩め方向１８’へ相対回転して、カムフォロワ２６が接触部２９から退避部２８へと移動し、図５、図６に示す状態となる。これにより、可動爪部１０が弾性力に抗して外周側へ押出されるので、可動爪部１０がフィラーネック１から離反して退避状態となる。なお、カムフォロワ２６が退避部２８へ移動した以後は、ストッパ３１によって、ハンドル外周部８とハンドル内周部７とは一体に緩め方向１８’へ回転されることとなる。
【００４９】
このように、フィラーキャップ本体２に対して可動できるよう設けた可動爪部１０が、締切前のフィラーネック１に接触されない退避状態から、締切時にフィラーネック１へ近接して接触状態となることにより、確実に放電を行わせると共に、確実にフィラーキャップ本体２によるフィラーネック１のシールを行わせることができる。
【００５０】
また、ハンドル内周部７とハンドル外周部８とを周方向に相対変位させて、可動爪部１０をカム機構２５に倣わせることにより、可動爪部１０をフィラーネック１へ近接させるようにすることができる。
【００５１】
そして、フィラーキャップ本体２の締込方向１８を基準として、カム面２７の上流側に可動爪部１０を退避状態にするための退避部２８を備えると共に、カム面２７の下流側に可動爪部１０を接触状態にするための接触部２９を備えることにより、締切前はフィラーネック１に接触されない退避状態となり、締切時にフィラーネック１へ近接して接触状態となるようにすることができる。
【００５２】
更に、カム面２７の退避部２８と接触部２９との外側部分に設けた一対のストッパ部３１，３２により、カムフォロワ２６の移動領域を有効に規制することができる。
【００５３】
上記以外の部分については、上記実施の形態と同様の構成を備えており、同様の作用・効果を得ることができる。
【００５４】
【発明の効果】
以上説明してきたように、請求項１の発明によれば、締切時にハンドル内周部を回転が制止されるまでフィラーネックに螺着した時に、ハンドル内周部に対してハンドル外周部を締込方向へ更に相対回転させることによって、可動爪部が、可動させる機構によりフィラーキャップ本体に対し可動して、締切前のフィラーネックに接触されない退避状態から、締切時にフィラーネックへ近接して接触状態となることにより、確実に放電を行わせると共に、確実にフィラーキャップ本体によるフィラーネックのシールを行わせることができる。
【００５５】
請求項２の発明によれば、ハンドル内周部とハンドル外周部とを周方向に相対変位させて、索状部材を引張らせることにより、索状部材の中間部に係止された可動爪部をフィラーネックへ近接させるようにすることができる。
【００５６】
請求項３の発明によれば、フィラーキャップ本体の締込方向を基準として、索状部材の上流側の端部をハンドル内周部に接続すると共に、索状部材の下流側の端部をハンドル外周部に接続することにより、締切前はフィラーネックに接触されない退避状態となり、締切時にフィラーネックへ近接して接触状態となるようにすることができる。
【００５７】
請求項４の発明によれば、ロック機構が、ハンドル内周部とハンドル外周部との周方向の相対位置を、可動爪部が退避状態となる位置と、可動爪部が接触状態となる位置との何れかに保持させることにより、不用意にハンドル内周部とハンドル外周部との周方向の相対位置がずれることを防止することができる。
【００５８】
請求項５の発明によれば、ハンドル内周部とハンドル外周部とを周方向に相対変位させて、可動爪部をカム機構に倣わせることにより、可動爪部をフィラーネックへ近接させるようにすることができる。
【００５９】
請求項６の発明によれば、フィラーキャップ本体の締込方向を基準として、カム面の上流側に可動爪部を退避状態にするための退避部を備えると共に、カム面の下流側に可動爪部を接触状態にするための接触部を備えることにより、締切前はフィラーネックに接触されない退避状態となり、締切時にフィラーネックへ近接して接触状態となるようにすることができる。
【００６０】
請求項７の発明によれば、カム面の退避部と接触部との外側部分に設けた一対のストッパ部により、カムフォロワの移動領域を有効に規制することができる、という実用上有益な効果を発揮し得る。
【図面の簡単な説明】
【図１】本発明の実施の形態１の縦断面図である。
【図２】図１の横断面図である。
【図３】図１の作動図である。
【図４】図３の横断面図である。
【図５】本発明の実施の形態２の縦断面図である。
【図６】図５の横断面図である。
【図７】図５の作動図である。
【図８】図７の横断面図である。
【符号の説明】
１    フィラーネック
２    フィラーキャップ本体
７    ハンドル内周部
８    ハンドル外周部
１０  可動爪部
１３  可動機構
１７  索状部材
１８  締込方向
１９  ロック機構
２５  カム機構
２６  カムフォロワ
２７  カム面
２８  退避部
２９  接触部
３１  ストッパ部
３２  ストッパ部
【図１】
0003760841.tif 000002
【図２】
0003760841.tif 000003
【図３】
0003760841.tif 000004
【図４】
0003760841.tif 000005
【図５】
0003760841.tif 000006
【図６】
0003760841.tif 000007
【図７】
0003760841.tif 000008
【図８】
0003760841.tif 000009